【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
次式（Ｉ）
【化１】
1997216946.tif 000001
［式中、多分散性Ｍｗ／Ｍｎは１であり、
ｎは３、４、５、６、７、８、９、１０、１１、１２、１３、１４もしくは１５を表し、基Ｒ1は互いに独立して水素原子、炭素原子数１ないし８のアルキル基、炭素原子数２ないし８のヒドロキシアルキル基、−ＣＨ2ＣＮ、炭素原子数３ないし６のアルケニル基、炭素原子数３ないし６のアルキニル基、未置換もしくはフェニル基上で１、２もしくは３個の炭素原子数１ないし４のアルキル基により置換された炭素原子数７ないし９のフェニルアルキル基を表すか；または炭素原子数１ないし８のアシル基を表し、
Ｒ2は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基もしくは１，４−ピペラジンジイル、−Ｏ−もしくは＞Ｎ−Ｘ1（式中、Ｘ1は炭素原子数１ないし１２のアシル基もしくは（炭素原子数１ないし１２のアルコキシ）カルボニル基を表すかまたは水素原子を除いた下記のＲ4の定義の内の１つの定義を有する。）により中断された炭素原子数４ないし１２のアルキレン基を表すか、またはＲ2は次式（ａ）、（ｂ）もしくは（ｃ）
【化２】
1997216946.tif 000002
（式中、ｍは２もしくは３を表し、
Ｘ2は炭素原子数１ないし１８のアルキル基、未置換もしくは１、２もしくは３個の炭素原子数１ないし４のアルキル基により置換された炭素原子数５ないし１２のシクロアルキル基、未置換もしくは１、２もしくは３個の炭素原子数１ないし４のアルキル基もしくは炭素原子数１ないし４のアルコキシ基により置換されたフェニル基；未置換もしくはフェニル基上で１、２もしくは３個の炭素原子数１ないし４のアルキル基により置換された炭素原子数７ないし９のフェニルアルキル基を表し；および
基Ｘ3は互いに独立して炭素原子数２ないし１２のアルキレン基を表す。）の内の１つの基を表し、；
基Ａは互いに独立して−ＯＲ3、−Ｎ（Ｒ4）（Ｒ5）もしくは次式（ＩＩ）
【化３】
1997216946.tif 000003
で表される基を表し、
Ｒ3、Ｒ4およびＲ5は同一もしくは異なって、水素原子、炭素原子数１ないし１８のアルキル基、未置換もしくは１、２もしくは３個の炭素原子数１ないし４のアルキル基により置換された炭素原子数５ないし１２のシクロアルキル基；炭素原子数３ないし１８のアルケニル基、未置換もしくは１、２もしくは３個の炭素原子数１ないし４のアルキル基もしくは炭素原子数１ないし４のアルコキシ基により置換されたフェニル基；未置換もしくはフェニル基上で１、２もしくは３個の炭素原子数１ないし４のアルキル基により置換された炭素原子数７ないし９のフェニルアルキル基；テトラヒドロフルフリル基もしくは２、３もしくは４位において−ＯＨ、炭素原子数１ないし８のアルコキシ基、ジ（炭素原子数１ないし４のアルキル）アミノ基もしくは次式（ＩＩＩ）
【化４】
1997216946.tif 000004
（式中、Ｙは−Ｏ−、−ＣＨ2−、−ＣＨ2ＣＨ2−もしくは＞Ｎ−ＣＨ3を表す。）で表される基により置換された炭素原子数２ないし４のアルキル基を表し、
または−Ｎ（Ｒ4）（Ｒ5）はさらに式（ＩＩＩ）の基を表し、
Ｘは−Ｏ−もしくは＞Ｎ−Ｒ6を表し、
Ｒ6は水素原子、炭素原子数１ないし１８のアルキル基、炭素原子数３ないし１８のアルケニル基、未置換もしくは１、２もしくは３個の炭素原子数１ないし４のアルキル基により置換された炭素原子数５ないし１２のシクロアルキル基、未置換もしくはフェニル基上で１、２もしくは３個の炭素原子数１ないし４のアルキル基により置換された炭素原子数７ないし９のフェニルアルキル基、テトラヒドロフルフリル基、次式（ＩＶ）
【化５】
1997216946.tif 000005
で表される基または２、３もしくは４位において−ＯＨ、炭素原子数１ないし８のアルコキシ基、ジ（炭素原子数１ないし４のアルキル）アミノ基もしくは式（ＩＩＩ）で表される基により置換された炭素原子数２ないし４のアルキル基を表し、
ＲはＲ6について与えられた定義の内の１つを表し、および
基Ｂは互いに独立してＡについて与えられた定義の内の１つを表し、
但し、式（Ｉ）の個々の反復単位中の各基Ｂ、Ｒ、Ｒ1およびＲ2は同一もしくは異なる意味を有する。］で表され、該変数ｎによってのみ変化する少なくとも三種の異なる化合物を含有する混合物であって、１．１ないし１．７の多分散性Ｍｗ／Ｍｎを有する混合物。
【請求項２】
次式（Ｘ）
【化６】
1997216946.tif 000006
（式中、ｎ、Ａ、Ｂ、Ｒ、Ｒ1およびＲ2は請求項１において定義された意味を表し、およびＢ*はＢについての定義の内の１つを表し、但し、（１）Ｂ*はＢとは異なり、また（２）各基Ｂ、Ｒ、Ｒ1およびＲ2は式中の個々の反復単位について同一の意味を有する。）で表されるところの請求項１記載の混合物。
【請求項３】
ａ）次式（Ｉａ）
【化７】
1997216946.tif 000007
の化合物
ｂ）次式（Ｉｂ）
【化８】
1997216946.tif 000008
の化合物、および
ｃ）次式（Ｉｃ）
【化９】
1997216946.tif 000009
の化合物
（上記式中、Ａ、Ｂ、Ｒ、Ｒ1およびＲ2は式（Ｉａ）、（Ｉｂ）および（Ｉｃ）において同一でありまた請求項１において定義された意味を表す。）を含み、かつ式（Ｉａ）の化合物と（Ｉｂ）の化合物と（Ｉｃ）の化合物との比率は、２：１．５：１ないし２：０．５：０．０５であるところの請求項１記載の混合物。
【請求項４】
式中、基Ｒ1は互いに独立して水素原子もしくはメチル基を表し、
Ｒ2は炭素原子数２ないし６のアルキレン基を表し、
ＡおよびＢは同一もしくは異なり、−Ｎ（Ｒ4）（Ｒ5）もしくは式（ＩＩ）の基（式中、Ｒ1は上記の意味を表す。）を表し、
Ｒ4およびＲ5は同一もしくは異なり、水素原子、炭素原子数１ないし８のアルキル基、２−ヒドロキシエチル基もしくは２−メトキシエチル基を表すかもしくは−Ｎ（Ｒ4）（Ｒ5）はさらに４−モルホリニル基を表し、
Ｘは＞ＮＲ6を表し、
Ｒ6は炭素原子数１ないし４のアルキル基を表し、および
Ｒは式（ＩＶ）の基（式中、Ｒ1は上記の意味を表す。）を表すところの請求項３記載の
混合物。
【請求項５】
１）次式（Ａ）
【化１０】
1997216946.tif 000010
で表される化合物を、次式（Ｂ）
【化１１】
1997216946.tif 000011
で表される化合物と化学量論比で反応させて次式（Ｃ）
【化１２】
1997216946.tif 000012
で表される化合物を得ること、
２）式（Ｃ）の化合物を式（Ｂ）の化合物と、１：２ないし１：３の比で反応させて、次式（Ｄ）
【化１３】
1997216946.tif 000013
（式中、ｎは３、４、５、６、７、８、９、１０、１１、１２、１３、１４もしくは１５を表す。）で表される少なくとも３種の異なる化合物の混合物を得ること、
３）２）で得られた混合物を次式（Ｅ）
【化１４】
1997216946.tif 000014
で表される化合物と、化学量論比で反応させて請求項１記載の混合物を得ることよりなり、反応１）ないし３）は無機塩基の存在下有機溶媒中において行われるところの請求項１記載の混合物の製造方法。
【請求項６】
異なる３種の式（Ｉ）の化合物が、次式（Ｘａ）、（Ｘｂ）および（Ｘｃ）
【化１５】
1997216946.tif 000015
［式中、
基Ｒ1は互いに独立して水素原子もしくはメチル基を表し、
Ｒ2は炭素原子数２ないし６のアルキレン基を表し、
ＡおよびＢ*は同一もしくは異なり、−Ｎ（Ｒ4）（Ｒ5）もしくは式（ＩＩ）の基を表し、
Ｒ4およびＲ5は同一もしくは異なり、水素原子、炭素原子数１ないし８のアルキル基、２−ヒドロキシエチル基もしくは２−メトキシエチル基を表すかもしくは−Ｎ（Ｒ4）（Ｒ5）はさらに４−モルホリニル基を表し、
Ｂは式（ＩＩ）（式中、Ｒ1は前記の定義を表す。）の基を表し、
Ｘは＞ＮＲ6を表し、
Ｒ6は炭素原子数１ないし４のアルキル基を表し、および
Ｒは式（ＩＶ）の基（式中、Ｒ1は前記の意味を表す。）を表し、
但し、基Ｂ、Ｒ、Ｒ1およびＲ2は式の個々の反復単位において同一の意味を表す。］で表される化合物に相当するところの請求項１記載の混合物。
【請求項７】
ＡおよびＢ*は同一もしくは異なり、−Ｎ（炭素原子数１ないし８のアルキル）2基もしくは次式
【化１６】
1997216946.tif 000016
で表される基であるところの請求項６記載の混合物。
【請求項８】
Ｒ1は水素原子を表し、Ｒ2はヘキサメチレン基を表し、ＡおよびＢ*はジブチルアミン基を表し、ＢはＮ−（２，２，６，６−テトラメチル−４−ピペリジニル）−ブチルアミン基を表し、およびＲは２，２，６，６−テトラメチル−４−ピペリジニル基を表すところの請求項６記載の混合物。
【請求項９】
式（Ｅ）の化合物は次式（Ｅ*）
【化１７】
1997216946.tif 000017
（式中、
Ｂ*はＢについての定義の内の１つを表し、
但しＢ*はＢとは異なる。）で表される化合物であるところの請求項５記載の方法。
【請求項１０】
光、熱もしくは酸化により誘発される崩壊を受けやすい有機材料、および少なくとも１種の請求項１記載の混合物よりなる組成物であって、但し、組成物中に存在する式（Ｉ）の化合物全体は、１．１ないし１．７の多分散性Ｍｗ／Ｍｎを有する組成物。
【請求項１１】
光、熱もしくは酸化により誘発される崩壊に対して有機材料を安定化させる方法であって、前記有機材料中に少なくとも１種の請求項１記載の混合物を混和することよりなる方法であって、但し、組成物中に存在する式（Ｉ）の化合物全体は、１．１ないし１．７の多分散性Ｍｗ／Ｍｎを有する方法。
【請求項１２】
次式（Ｄ）
【化１８】
1997216946.tif 000018
［式中、多分散性Ｍｗ／Ｍｎは１であり、
ｎは３、４、５、６、７、８、９、１０、１１、１２、１３、１４もしくは１５を表し、基Ｒ1は互いに独立して水素原子、炭素原子数１ないし８のアルキル基、炭素原子数１ないし８のヒドロキシアルキル基、−ＣＨ2ＣＮ、炭素原子数３ないし６のアルケニル基、炭素原子数３ないし６のアルキニル基、未置換もしくはフェニル基上で１、２もしくは３個の炭素原子数１ないし４のアルキル基により置換された炭素原子数７ないし９のフェニルアルキル基を表すか；または炭素原子数１ないし８のアシル基を表し、
Ｒ2は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基もしくは１，４−ピペラジンジイル基、−Ｏ−もしくは＞Ｎ−Ｘ1（式中、Ｘ1は炭素原子数１ないし１２のアシル基もしくは（炭素原子数１ないし１２のアルコキシ）カルボニル基を表すかまたは水素原子を除いた下記のＲ4の定義の内の１つの定義を有する。）により中断された炭素原子数４ないし１２のアルキレン基を表すか、またはＲ2は次式（ａ）、（ｂ）もしくは（ｃ）
【化１９】
1997216946.tif 000019
（式中、ｍは２もしくは３を表し、
Ｘ2は炭素原子数１ないし１８のアルキル基、未置換もしくは１、２もしくは３個の炭素原子数１ないし４のアルキル基により置換された炭素原子数５ないし１２のシクロアルキル基；未置換もしくは１、２もしくは３個の炭素原子数１ないし４のアルキル基もしくは炭素原子数１ないし４のアルコキシ基により置換されたフェニル基；未置換もしくはフェニル基上で１、２もしくは３個の炭素原子数１ないし４のアルキル基により置換された炭素原子数７ないし９のフェニルアルキル基を表し、および
基Ｘ3は互いに独立して炭素原子数２ないし１２のアルキレン基を表す。）の内の１つの基を表し；
基Ｂは−ＯＲ3、−Ｎ（Ｒ4）（Ｒ5）もしくは次式（ＩＩ）
【化２０】
1997216946.tif 000020
で表される基を表し、
Ｒ3、Ｒ4およびＲ5は同一もしくは異なって、水素原子、炭素原子数１ないし１８のアルキル基、未置換もしくは１、２もしくは３個の炭素原子数１ないし４のアルキル基により置換された炭素原子数５ないし１２のシクロアルキル基、炭素原子数３ないし１８のアルケニル基、未置換もしくは１、２もしくは３個の炭素原子数１ないし４のアルキル基もしくは炭素原子数１ないし４のアルコキシ基により置換されたフェニル基；未置換もしくはフェニル基上で１、２もしくは３個の炭素原子数１ないし４のアルキル基により置換された炭素原子数７ないし９のフェニルアルキル基；テトラヒドロフルフリル基もしくは２、３もしくは４位において−ＯＨ、炭素原子数１ないし８のアルコキシ基、ジ（炭素原子数１ないし４のアルキル）アミノ基もしくは次式（ＩＩＩ）
【化２１】
1997216946.tif 000021
（式中、Ｙは−Ｏ−、−ＣＨ2−、−ＣＨ2ＣＨ2−もしくは＞Ｎ−ＣＨ3を表す。）で表される基により置換された炭素原子数２ないし４のアルキル基を表し、
もしくは−Ｎ（Ｒ4）（Ｒ5）はさらに式（ＩＩＩ）の基を表し、
Ｘは−Ｏ−もしくは＞Ｎ−Ｒ6を表し、
Ｒ6は水素原子、炭素原子数１ないし１８のアルキル基、炭素原子数３ないし１８のアルケニル基、未置換もしくは１、２もしくは３個の炭素原子数１ないし４のアルキル基により置換された炭素原子数５ないし１２のシクロアルキル基、未置換もしくはフェニル基上で１、２もしくは３個の炭素原子数１ないし４のアルキル基により置換された炭素原子数７ないし９のフェニルアルキル基、テトラヒドロフルフリル基、次式（ＩＶ）
【化２２】
1997216946.tif 000022
で表される基もしくは２、３もしくは４位において−ＯＨ、炭素原子数１ないし８のアルコキシ基、ジ（炭素原子数１ないし４のアルキル）アミノ基もしくは式（ＩＩＩ）の基により置換された炭素原子数２ないし４のアルキル基を表し、そして
ＲはＲ6についての定義の内の１つを表し、
但し、式（Ｄ）の個々の反復単位中の各基Ｂ、Ｒ、Ｒ1およびＲ2は同一もしくは異なる意
味を有する。］で表され、該変数ｎによってのみ変化する少なくとも三種の異なる化合物を含有する混合物であって、１．１ないし１．７の多分散性Ｍｗ／Ｍｎを有する混合物。
【請求項１３】
光、熱もしくは酸化により誘発されて崩壊を受けやすい有機材料、および少なくとも１種の請求項１２記載の混合物よりなるところの組成物であって、但し、組成物中に存在する式（Ｄ）の化合物全体は、１．１ないし１．７の多分散性Ｍｗ／Ｍｎを有する組成物。